(57)【要約】【課題】ハーネス接続部材用組立用具により、ピン端子の保持部材中への挿入を容易にする。【解決手段】  保持部材１内にピン端子を挿入するには、ピン端子を途中まで手で仮挿入した保持部材１を、支持部１２の受部１４の凹溝内に載置した上で、蓋部１７を閉止する。挟持された保持部材１の一端はストッパ２０に当接し、ピン端子が押し込まれても、それにつれて保持部材１が移動することが規制される。  ハンドル４３を矢印方向に示すように動かすと、ロッド３３が矢印方向に移動し、このロッド３３の移動に伴って、先端の押込ピン部３４の棒状ピン３４ａは、ピン端子４の端部に当接しながら直線的に前進移動し、ピン端子を保持部材１中に所定のストロークだけ押し込む。【選択図】図５
2010135168.tif 000002
【特許請求の範囲】
【請求項１】
中心軸方向に沿ってピン端子挿入孔を設け、外周側から内部に向けて形成した複数の電気端子挿入孔が内部において前記ピン端子挿入孔と連通する合成樹脂製の略円柱状の保持部材と、前記電気端子挿入孔に挿入した複数個の電気端子と、前記ピン端子挿入孔に挿入し前記電気端子同士を連結する金属製のピン端子とから成るハーネス接続部材について、前記ピン端子を前記ピン端子挿入孔に挿入するためのハーネス接続部材用組立用具であって、前記保持部材を受部に対し蓋部を閉止して前記保持部材を挟持する支持部と、該支持部に挟持された前記保持部材のピン端子挿入孔に仮挿入した前記ピン端子の端部に押込ピン部を当てがい、該押込ピン部により前記ピン端子を前記ピン端子挿入孔内に直線運動により押し込む押込部と、該押込部を駆動する駆動部とから成ることを特徴とするハーネス接続部材用組立用具。
【請求項２】
前記受部と蓋部はそれぞれ挟持用の凹溝を設けたことを特徴とする請求項１に記載のハーネス接続部材用組立用具。
【請求項３】
前記受部と蓋部とは磁石による吸着力により閉止状態を維持するようにしたことを特徴とする請求項１に記載のハーネス接続部材用組立用具。
【請求項４】
前記押込部は前記ピン端子を所定のストロークだけ押し込むようにしたことを特徴とする請求項１に記載のハーネス接続部材用組立用具。
【請求項５】
前記駆動部はハンドル操作により作動するようにしたことを特徴とする請求項１に記載のハーネス接続部材用組立用具。
【請求項６】
前記駆動部は機械駆動により作動するようにしたことを特徴とする請求項１に記載のハーネス接続部材用組立用具。
【発明の詳細な説明】
【技術分野】
【０００１】
本発明は、例えば自動車のハーネス回路において使用するハーネス接続部材を組み立てるための据置用のハーネス接続部材用組立用具に関するものである。
【背景技術】
【０００２】
ハーネス回路においては、幹線から複数の枝線を分岐する必要が屡々あり、従来では、各種の方法で接続を行っている。そのために従来では、幹線の一部の被覆を剥ぎ取り、露出した導体に枝線を圧着加工し分岐するスプライスジョイント方式と、幹線の端末部に回路分岐用コネクタを配し、幹線、枝線共に汎用コネクタ及び圧着端子を使用して分岐加工するジョイントコネクタ方式との２通りの方式が多く用いられている。
【０００３】
しかし、これらの方式においても、コネクタ、バスバー、接続端子などの部品点数が多くなることから、ハーネス回路の組立には時間を要しているのが実状である。
【０００４】
本出願人は特許文献１において、合成樹脂から成り２０〜１００ｍｍ程度の長さの保持部材を用い、この保持部材に電気端子を取り付け、中心にピン端子を挿入し、電気端子同士を接続するようにしたハーネス接続部材を提案している。
【０００５】
このハーネス接続部材は、図６に示すように、主としてピン端子挿入孔１ａ、長溝１ｂ、電気端子挿入孔１ｃを有する保持部材１と、保持部材１の電気端子挿入孔１ｃに挿入する接続部３ａ、電線２の芯線を接続した圧着部３ｂを有する複数個の電気端子３と、電気端子３同士を接続するための金属製のピン端子４とから構成されている。
【０００６】
保持部材１は略円柱状であり、保持部材１の中心方向に沿ってピン端子４を挿入するためのピン端子挿入孔１ａが設けられ、保持部材１の表面に長手方向に沿って、例えば計４個の断面略半円形の長溝１ｂが形成されている。なお、長溝１ｂは上下又は左右対称に計２本形成したものであってもよく、更には長溝１ｂを形成しない場合もある。長溝１ｂの底部には、外周側から内部に向けて各長溝１ｂごとに単数又は複数個の電気端子挿入孔１ｃが形成され、電気端子挿入孔１ｃは保持部材１の内部において中心のピン端子挿入孔１ａと連通するようにされ、各電気端子挿入孔１ｃに電気端子３の接続部３ａが挿入し得るように形成されている。
【０００７】
電気端子３は１枚の導電金属板を打抜いて形成されており、Ｌ字状に折曲された先端の舌片状の接続部３ａには、短円筒状に絞り加工された筒状接点３ｃが設けられ、他端に圧着部３ｂが設けられている。ピン端子４は金属板を折り畳んで四角状とし先端は錐状とされている。
【０００８】
ハーネス接続部材の組立に際しては、保持部材１の電気端子挿入孔１ｃに図６の矢印で示すように電線２を接続した電気端子３の接続部３ａを挿入し、長溝１ｂに沿って電線２を装着する。接続部３ａの縁部はピン端子挿入孔１ａの径とほぼ一致しているので、接続部３ａはピン端子挿入孔１ａ内において安定して装着され、図７の断面図で示すように筒状接点３ｃの中心はピン端子挿入孔１ａの中心と一致する。
【０００９】
この状態において、図８に示すようにピン端子４をピン端子挿入孔１ａに挿入すると、ピン端子４はそれぞれの電気端子３の接続部３ａの筒状接点３ｃを貫通し、全ての電気端子３が短絡されるため、全ての電線２は互いに導通することになる。そして、このハーネス接続部材の周囲を絶縁テープで巻回したり、カバーを被着したりして使用する。
【００１０】
【特許文献１】特開２００７−１２３０１５号公報
【発明の開示】
【発明が解決しようとする課題】
【００１１】
しかし、ピン端子４を保持部材１内に確実に挿入することがなかなか難しい。市販工具であるプライヤ等を使用して端部を把持して挿入しようとした場合に、ピン端子を直線状に押し込むことが困難なため、ピン端子４に曲がりが発生する虞れがある。従って、ピン端子４の挿入機構としては、直線的に動作することが必要となる。
【００１２】
ピン端子４の挿入は１個の電気端子３について、所定の例えばＡ（ｋｇｆ）の力が必要である。保持部材１には最大５個の電気端子３が使用されることから、挿入はＡ×５（ｋｇｆ）の力が必要となる。
【００１３】
ハーネス接続部材は分岐回路に使用されるものであり、１組のハーネスについて多数使用される場合もある。このような場合に、作業者は１日当り相当数のピン端子４の挿入作業をすることになり、所定のＡ×５（ｋｇｆ）の力を常時発揮しなければならないことは作業者にとって負担が大きい。
【００１４】
本発明の目的は、上述の課題を解消し、ピン端子の保持部材中への挿入を容易にかつ確実に行うことができるハーネス接続部材用組立用具を提供することにある。
【課題を解決するための手段】
【００１５】
上述の目的を達成するための本発明に係るハーネス接続部材用組立用具は、中心軸方向に沿ってピン端子挿入孔を設け、外周側から内部に向けて形成した複数の電気端子挿入孔が内部において前記ピン端子挿入孔と連通する合成樹脂製の略円柱状の保持部材と、前記電気端子挿入孔に挿入した複数個の電気端子と、前記ピン端子挿入孔に挿入し前記電気端子同士を連結する金属製のピン端子とから成るハーネス接続部材について、前記ピン端子を前記ピン端子挿入孔に挿入するためのハーネス接続部材用組立用具であって、前記保持部材を受部に対し蓋部を閉止して前記保持部材を挟持する支持部と、該支持部に挟持された前記保持部材のピン端子挿入孔に仮挿入した前記ピン端子の端部に押込ピン部を当てがい、該押込ピン部により前記ピン端子を前記ピン端子挿入孔内に直線運動により押し込む押込部と、該押込部を駆動する駆動部とから成ることを特徴とする。
【発明の効果】
【００１６】
本発明に係るハーネス接続部材用組立用具を使用することにより、ピン端子を保持部材中に容易にかつ確実に挿入することができる。
【発明を実施するための最良の形態】
【００１７】
本発明を図１〜図５に図示の実施例に基づいて詳細に説明する。
図１はハンドルタイプのハーネス接続部材用組立用具の平面図、図２は正面図、図３は側面図である。基板１１の片側には、金属製の支持部１２が固定され、支持部１２には略円柱状の保持部材１を支持するための凹溝１３を有する受部１４が設けられている。この受部１４の上に、ヒンジ１５を介して受部１４の凹溝１３と同様の凹溝１６が設けられた蓋部１７が開閉可能に設けられている。
【００１８】
受部１４の上表面の一部には永久磁石１８が埋設され、磁性体から成る蓋部１７を閉止すると、永久磁石１８の吸着力により蓋部１７は受部１４上に接着するようにされている。なお、この永久磁石１８は蓋部１７に取り付けてもよい。
【００１９】
また、蓋部１７には操作用のつまみ１９が設けられ、更に受部１４の端部側にはストッパ２０が設けられていて、受部１４、蓋部１７に支持された保持部材１の軸方向往訪への移動を規制するようにされている。
【００２０】
また、基板１１の他側には押込部３１と駆動部４１が設けられている。押込部３１はガイド３２によってロッド３３が水平方向に支持部１２側に向けて移動するようにされ、ロッド３３の先端には押込ピン部３４が取り付けられている。この押込ピン部３４はロッド３３に対して螺合しており、その突出長さを可変でき、押込ストロークを調整できるようになっている。押込ピン部３４はその先端に前端を平坦とした棒状ピン３４ａを有し、その後方にテーパ部３４ｂが設けられており、テーパ部３４ｂは後方に拡径されている。
【００２１】
駆動部４１においては、ロッド３３の後方に基板１１に設けた支点４２を中心に回動するハンドル４３が配置され、ロッド３３の後端は軸４４、４５を介してＬ字レバー４６により連結されている。そして、ハンドル４３の傾倒によりロッド３３を介して押込ピン部３４を前後進する。
【００２２】
このハーネス接続部材用組立用具を使用して、保持部材１内にピン端子４を挿入するには、電線２を接続した電気端子３を装着し、ピン端子４を途中まで手で仮挿入した保持部材１を、支持部１２の受部１４の凹溝１３内に載置した上で、蓋部１７を閉止する。
【００２３】
図４はこの状態の保持部材１を軸線方向から見た正面図であり、この閉止により、受部１４の永久磁石１８が蓋部１７を吸着して、保持部材１が挟着される。押込ピン部３４の棒状ピン３４ａの移動軸線は、受部１４と蓋部１７によって挟まれた保持部材１のピン端子挿入孔１ａの軸線と一致している。
【００２４】
このようにして、挟持された保持部材１の一端はストッパ２０に当接し、ピン端子４が押し込まれても、それにつれて保持部材１が移動することが規制される。また、受部１４と蓋部１７の凹溝１３、１６による挟持によって、保持部材１に挿入されている複数個の電気端子３の外部に露出している部分が押さえ込まれ、ピン端子４の押し込み中に電気端子３が不安定な姿勢となることはない。
【００２５】
このように準備した上で、図５に示すように矢印方向にハンドル４３を支持部１２側に倒すと、Ｌ字レバー４６を介してロッド３３が支持部１２側に移動する。このロッド３３の移動に伴って、押込ピン部３４の棒状ピン３４ａはピン端子４の端部に当接しながら直線的に前進移動し、ピン端子４を保持部材１中に所定のストロークだけ押し込み、電気端子３同士がピン端子４により短絡される。
【００２６】
このとき、押込ピン部３４のテーパ部３４ｂは保持部材１から引き出されている複数の電線２を押し分けるので、棒状ピン３４ａの進入に支障が生ずることはない。
【００２７】
ピン端子４を押し込むために必要とされる力は、電気端子３の数に比例して大きくなるが、ハンドル４３の操作により、てこの力を利用してピン端子４を容易に押し込むことができる。
【００２８】
なお、ピン端子４は全てを保持部材１中に押し込むのではなく、ピン端子４の一部を保持部材１から突出しておくようにすると、メンテナンス等におけるピン端子４の抜き取りが可能となる。
【００２９】
ピン端子４の挿入作業が完了し、ハンドル４３を元の位置に戻すと、ロッド３３も引き戻される。そして、つまみ１９を摘んで蓋部１７を開き、ピン端子４が挿入された保持部材１を取り出し、次の保持部材１を装着することができる。
【００３０】
この場合に、右手は常時ハンドル４３を握ったままで、左手で保持部材１を交換することができ、保持部材１の交換のたびにハンドル４３を握り直す必要がなく、作業性が良い。
【００３１】
また、保持部材１の大きさが変わる場合には、その大きさに適した支持部１２に変更すると共に、押込ピン部３４を交換したり、或いはそのストロークを調整することにより、大きさが異なる保持部材１にも対応することができる。
【００３２】
なお、実施例のように、手動操作とするほうが小廻りがきいて有利ではあるが、作業者の負荷を考慮すると機械駆動が望ましいこともあり、この場合にはボタン操作によってモータ、空気シリンダなどにより、ロッド３３を作動するようにすればよい。
【図面の簡単な説明】
【００３３】
【図１】ハーネス接続部材用組立用具の平面図である。
【図２】正面図である。
【図３】側面図である。
【図４】受部を蓋部により保持部材を挟着した状態の正面図である。
【図５】押込みピンを押し込んだ状態の側面図である。
【図６】ハーネス接続部材の分解斜視図である。
【図７】保持部材に電気端子を取り付けた状態の断面図である。
【図８】保持部材に電気端子、ピン端子を取り付けた状態の斜視図である。
【符号の説明】
【００３４】
１  保持部材
１ａ  ピン端子挿入孔
２  電線
３  電気端子
４  ピン端子
１１  基板
１２  支持部
１３、１６  凹溝
１４  受部
１５  ヒンジ
１７  蓋部
１８  永久磁石
１９  つまみ
２０  ストッパ
３１  押込部
３２  ガイド
３３  ロッド
３４  押込ピン部
４１  駆動部
４３  ハンドル
４６  Ｌ字レバー
【図１】
2010135168.tif 000003
【図２】
2010135168.tif 000004
【図３】
2010135168.tif 000005
【図４】
2010135168.tif 000006
【図５】
2010135168.tif 000007
【図６】
2010135168.tif 000008
【図７】
2010135168.tif 000009
【図８】
2010135168.tif 000010
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
中心軸方向に沿ってピン端子挿入孔を設け、外周側から内部に向けて形成した複数の電気端子挿入孔が内部において前記ピン端子挿入孔と連通する合成樹脂製の略円柱状の保持部材と、前記電気端子挿入孔に挿入した複数個の電気端子と、前記ピン端子挿入孔に挿入し前記電気端子同士を連結する金属製のピン端子とから成るハーネス接続部材について、前記ピン端子を前記ピン端子挿入孔に挿入するためのハーネス接続部材用組立用具であって、前記保持部材を受部に対し蓋部を閉止して前記保持部材を挟持する支持部と、該支持部に挟持された前記保持部材のピン端子挿入孔に仮挿入した前記ピン端子の端部に押込ピン部を当てがい、該押込ピン部により前記ピン端子を前記ピン端子挿入孔内に直線運動により押し込む押込部と、該押込部を駆動する駆動部とから成ることを特徴とするハーネス接続部材用組立用具。
【請求項２】
前記受部と蓋部はそれぞれ挟持用の凹溝を設けたことを特徴とする請求項１に記載のハーネス接続部材用組立用具。
【請求項３】
前記受部と蓋部とは磁石による吸着力により閉止状態を維持するようにしたことを特徴とする請求項１又は２に記載のハーネス接続部材用組立用具。
【請求項４】
前記押込部は前記ピン端子を所定のストロークだけ押し込むようにしたことを特徴とする請求項１〜３の何れか１つの請求項に記載のハーネス接続部材用組立用具。
【請求項５】
前記駆動部はハンドル操作により作動するようにしたことを特徴とする請求項１〜４の何れか１つの請求項に記載のハーネス接続部材用組立用具。
【請求項６】
前記駆動部は機械駆動により作動するようにしたことを特徴とする請求項１〜４の何れか１つの請求項に記載のハーネス接続部材用組立用具。